(57)【特許請求の範囲】
【請求項１】
庇部と芯を有する本体部とから構成された栞であり、前記庇部が前記本体部の上辺で前記本体部に対して直交するように結合していることを特徴とする、栞。
【発明の詳細な説明】
【技術分野】
【０００１】
栞に関する
【背景技術】
【０００２】
特許文献１によると、線材を用いたクリップが２片で構成されており、脱落防止機能をそなえている点に於いて本願発明と類似する。
【０００３】
特許文献１では、クリップの一対の挟着片で書籍を挟持する方法により脱落防止機能を実現している。一方、本願発明は本体部とつながった庇部が書籍の上辺部により支えられることで脱落防止機能を果たす。そのため特許文献１と本願発明は、脱落防止の態様および方法において異なる。
【０００４】
特許文献２によると、クリップしおりが脱落防止機能をそなえている点に於いて本願発明と類似する。
【０００５】
特許文献２では、クリップしおりが書籍の紙面を切り込みの中に挟み込む方法で脱落防止機能を実現している。一方、本願発明は本体部とつながった庇部が書籍の上辺部により支えられることで脱落防止機能を果たす。そのため特許文献２と本願発明は、脱落防止の態様および方法において異なる。
【０００６】
特許文献３によると、栞が脱落防止機能を有し、２片で栞が構成されている点に於いて本願発明と類似する。
【０００７】
特許文献３では、対向する栞本体部と栞部が書籍の紙面を挟み込む方法で脱落防止機能を実現している。一方、本願発明は本体部とつながった庇部が書籍の上辺部により支えられることで脱落防止機能を果たす。そのため特許文献３と本願発明は、脱落防止の態様および方法において異なる。
【０００８】
特許文献４によると、線材を用いた紙面挿入部と背面固定部が直交する方向に固定されている点に於いて本願発明と類似する。
【０００９】
特許文献４では、書籍装着具が背表紙を挟み込む方法で書籍に取り付けられている。一方、本願発明は庇部が書籍の上辺部に据え置くことで書籍に取り付けられる。そのため特許文献４と本願発明は、取り付けの態様および方法において異なる。
【先行技術文献】
【特許文献】
【００１０】
【特許文献１】実用新案出願公開  平３−１０８４７６公報（第１頁、第２頁）
【特許文献２】特開平５−３４５４９１公報（第２頁、第４頁）
【特許文献３】特開２００５−１３７０公報（第２頁、第９頁）
【特許文献４】特開２００９−４５８３７公報（第２頁、第９頁）
【発明の概要】
【発明が解決しようとする課題】
【００１１】
従来、本を指定箇所で見開くために、紙片等による栞または紐が広く用いられている。
【００１２】
ハードカバー本には紐による栞が付いているものあるが、文庫本、新書等には紙片等による栞が多く用いられている。
【００１３】
紙片等による栞は、本を見開く機能のために一定の大きさと剛性を有している。
【００１４】
そのため、本を見開いたとき、栞は見開いたページの一定面積を覆って読書を障害するので読書を始めるとき栞を他のページに挿し直す必要がある。
【００１５】
その上、どこのページに栞が挿し込まれていても、本が見開いた状態では、栞は剛性により本の紙面のカーブに馴染まないため、ぺージめくる度に違和感が生じる。
【００１６】
同じ原理により、うっかりすると栞が脱落する。そのため、栞が脱落しないように読書中に注意を要する。
【００１７】
本願発明は上記の弊害を一括して解決するものである。
【課題を解決するための手段】
【００１８】
上記課題を解決するために、請求項１の発明は、庇部と芯を有する本体部とから構成された栞であり、前記庇部が前記本体部の上辺で前記本体部に対して直交するように結合していることを要旨とする。
【発明の効果】
【００１９】
本願発明によれば、第一の効果として、芯の厚みによりかなり小さな形状の栞でも綴じ込みページを見開くことができる。小型化された栞は読書の障害にはならず、栞を他のページに挿し直す必要がなくなる。
【００２０】
第二の効果として、庇部が本の左右の見開き上辺部により支えられており、本を見開いた状態で栞は脱落することなく、ページをめくるときも栞は脱落せず、栞の置かれた状態はそのまま維持される。
【００２１】
第三の効果として、芯の厚みにより見開き機能を十分に発揮できるため、栞本体に用いられる平面素材に剛性を持たせる必要が無いこと。ならびに、芯は本の見開きの綴じ合せ部分に近接して縦方向に配置されることから、栞は本の紙面のカーブに馴染みやすい。そのため、栞を置いた状態でページをめくるときの違和感が小さい。
【００２２】
第四の効果として、例えば樹脂又は金属等の細い線材を芯に用いれば、軽量で柔軟性のある製品にすることができる。また構造が簡単なことから製造コストが小さい。本願発明の栞は本の外形の大小、厚薄を問わずあらゆる書籍での利用が可能で、特に外出時の文庫本、新書などの読書に利用されると効果的である。
【図面の簡単な説明】
【００２３】
【図１】栞の正面図
【図２】栞の側面図
【図３】栞の斜視図
【図４】栞の実施図（鳥瞰）
【図５】栞の実施図（上面）
【発明を実施するための形態】
【００２４】
図１は本願発明による栞の正面図である。芯４は、例えば薄い紙、フィルム、薄膜金属などの剛性の小さい平面素材７によって挟み込まれている。そのため本体部２に注目すると、芯４を内部に収めた部分は平面素材７より左右に膨らんでいる。庇部１については、本体部２の平面素材７が芯４の上部の終端位置で左右に分かれて延伸し、固定素材５と接着して固定されている。また、つまみ３については、本体部２と同様である。
【００２５】
図２は本願発明による栞の側面図である。本体部２の上端で固定素材５によって平面素材７が固定された庇部１は本体部２の上辺で水平な状態となっている。つまみ３は栞を本へ取り付けたり、取外したりするときに便利なように本体部２の下部を折曲点６で折り曲げて作られている。
【００２６】
図３は本願発明による栞の斜視図である。庇部１は、この場合円盤形状となっているが、その底部が平面であれば形状、形態は問わない。
【００２７】
図４は本願発明による栞の実施状態を示す鳥瞰図である。栞は本８の閉じ合わせ部分のページ上辺部に据え置かれている。庇部１は本８の左右のページ上辺により支えられている。そのために栞が脱落することはない。
【００２８】
図５は本願発明による栞の実施状態を示す上面図である。本８が１８０度開かれた状態でも本８の閉じ合わせ部分に据え置かれた庇部１は、ページ上辺部で支えられており脱落することはない。仮に本８が180度以上開かれたとしても、栞は庇部１のいずれかの部分が本８の上辺ページの左右二ヶ所で支えられることとなるので、本８を垂直に保っていれば脱落を免れる。
【産業上の利用可能性】
【００２９】
簡単な仕組みでありながら明らかな効果を有する本願発明による栞は、あらゆる読書の機会で広く利便性を向上させる可能性がある。
【符号の説明】
【００３０】
１  庇部
２  本体部
３  つまみ
４  芯
５  固定素材
６  折曲点
７  平面素材
８  本
【要約】
【課題】紙片等による栞は、本を見開いたとき、栞は見開いたページの一定面積を覆って読書を障害する。従って読書を始めるとき栞を他のページに挿し直すことが必要となる。また、栞はその剛性により本を見開いたときの紙面のカーブに馴染まず、ぺージめくる度に違和感があり、うっかりすると栞は脱落する。本願発明はそういった弊害を一括して解決する。
【解決手段】本の見開き機能を確保しながら、芯の厚みを利用して栞を小片化し、同時に庇部分を設けて脱落を防止する。
【選択図】図４【図１】
0005616558.tif 000002
【図２】
0005616558.tif 000003
【図３】
0005616558.tif 000004
【図４】
0005616558.tif 000005
【図５】
0005616558.tif 000006